(57)【要約】【課題】  親機または子機が発呼後の通話中に、誤って子機のリモート受信キーが操作された場合に、リモート受信指令を無効化するようにしたファクシミリ機能を有するコードレス電話機を提供する。【解決手段】  ファクシミリ機能を有する親機と子機とから構成され、親機にファクシミリの受信を指令するためのリモート受信キーを子機に備えたファクシミリ機能を有するコードレス電話機において、前記親機に、着信を検出する着信検出手段と、前記リモート受信キーによるリモート受信指令を有効化または無効化するリモート受信制御手段と、を設け、前記着信検出手段が着信を検出しない場合、前記リモート受信制御手段がリモート受信指令を無効化し、前記着信検出手段が着信を検出した場合、前記リモート受信制御手段がリモート受信指令を有効化することを特徴とするファクシミリ機能を有するコードレス電話機。【選択図】      図１
2006148229.tif 000002
【特許請求の範囲】
【請求項１】
ファクシミリ機能を有する親機と子機とから構成され、親機にファクシミリの受信を指令するためのリモート受信キーを子機に備えたファクシミリ機能を有するコードレス電話機において、
前記親機に、着信を検出する着信検出手段と、前記リモート受信キーによるリモート受信指令を有効化または無効化するリモート受信制御手段と、を設け、前記着信検出手段が着信を検出しない場合、前記リモート受信制御手段がリモート受信指令を無効化し、前記着信検出手段が着信を検出した場合、前記リモート受信制御手段がリモート受信指令を有効化することを特徴とするファクシミリ機能を有するコードレス電話機。
【請求項２】
ファクシミリ機能を有する親機と子機とから構成され、親機にファクシミリの受信を指令するためのリモート受信キーを子機に備えたファクシミリ機能を有するコードレス電話機におけるファクシミリ受信制御方法おいて、
前記親機は、着信を検出する着信検出手段と、前記リモート受信キーによるリモート受信指令を有効化または無効化するリモート受信制御手段と、を備え、前記着信検出手段が着信を検出するステップと、前記着信検出手段が着信を検出していない場合、前記リモート受信制御手段がリモート受信指令を無効化し、着信検出手段がファクシミリ着信を検出した場合、前記リモート受信制御手段がリモート受信指令を有効化するステップとからなることを特徴とするファクシミリ受信制御方法。
【請求項３】
ファクシミリ機能を有する親機と子機とから構成され、親機にファクシミリの受信を指令するためのリモート受信キーを子機に備えたファクシミリ機能を有するコードレス電話機において、
前記親機に、着信を検出する着信検出手段と、前記リモート受信キーによるリモート受信指令を有効化（オン）または無効化（オフ）するフラグを記憶する記憶手段と、通話手段と、ファクシミリ通信手段と、回線と前記通話手段又は前記ファクシミリ通信手段とを切替接続する切替手段と、制御手段と、を有し、
前記制御手段は、前記着信検出手段が着信を検出したと判定すると、前記記憶手段に記憶しているフラグをオンにし、前記フラグがオフのときは通話中に前記リモート受信キーが操作されても前記切替手段を前記通話手段から前記ファクシミリ通信手段に切替させずに通話を継続させ、前記フラグがオンのときは通話中に前記リモート受信キーが操作されると前記切替手段と前記通話手段から前記ファクシミリ通信手段に切替させてファクシミリ受信を可能にすることを特徴とするファクシミリ受信制御方法。
【発明の詳細な説明】
【技術分野】
【０００１】
本発明は、ファクシミリ機能を有する親機と子機とから構成され、親機にファクシミリの受信を指令するためのリモート受信キーを子機に備えたファクシミリ機能を有するコードレス電話機およびファクシミリ受信制御方法に関するものであり、特に、親機または子機が発呼後の通話中に、誤って子機のリモート受信キーが操作された場合に、リモート受信指令を無効化するようにしたファクシミリ機能を有するコードレス電話機およびファクシミリ受信制御方法に関するものである。
【背景技術】
【０００２】
従来からファクシミリ機能を有する電話機がオフィスや家庭において広く使用されている。そして近年では親機と子機が無線で結ばれたコードレス電話機が一般的広く利用されるようになってきており、親機にファクシミリ機能を備えたコードレス電話機も普及している。
【０００３】
一般に、ファクシミリ機能を有するコードレス電話機においては、親機にファクシミリの送受信機能を備え、親機を操作してファクシミリの送受信を行うことは勿論、子機に親機に対してファクシミリの受信を指令するためのリモート受信キーを備え、子機側からファクシミリ着信に対する受信操作が行えるように構成されている。
【０００４】
このようなファクシミリ機能を有するコードレス電話機は種々提案されている。例えば、下記特許文献１（特開平５−９１２３８号公報）にはファクシミリ装置本体において原稿読み取り部に原稿がセットされている場合でも、子機から指示によりファクシミリ受信モードに切り替えられるようにしたコードレス・ファクシミリ装置が開示されている。すなわち、特許文献１に開示されたコードレス・ファクシミリ装置は、子機に通信指示手段として送信指示ボタンと受信指示ボタンとを独立して設け、受信指示ボタンが押されると、ファクシミリ切替手段は、原稿読み取り部における原稿の有無に関係なく、ファクシミリ通信手段を受信モードに切り替えるように構成したものである。
【０００５】
また、下記特許文献２（特開２００３−３３８９１４号公報）には、相手方との通話中に、ファクシミリ起動信号と同様な信号成分をファクシミリ起動信号として誤検出して、ファクシミリ原稿の受信状態に自動的に移行するといった誤動作を防止することができるようにしたファクシミリ装置が開示されている。すなわち、特許文献２に開示されたファクシミリ装置は、公衆電話回線に接続され、ファクシミリ送受信機能を有する親機としてのファクシミリ装置の本体と、本体と無線で接続される子機とを備え、ファクシミリ起動信号検出手段がファクシミリ起動信号を検出すると、ファクシミリ起動信号を検出した際に、ＲＡＭの検出済みフラグをオンにし、ＮＣＵが相手方との通話終了を検出した場合、検出済みフラグの状態に基づいてファクシミリ受信を行うように構成したものである。
【特許文献１】特開平５−９１２３８号公報（図１）
【特許文献２】特開２００３−３３８９１４号公報（図２、図４）
【発明の開示】
【発明が解決しようとする課題】
【０００６】
しかしながら、上記特許文献１、特許文献２等に開示されたファクシミリ機能を有するコードレス電話機においては、子機側に設けたファクシミリの通信指示手段（受信指示ボタン等）は、親機または子機が外線通話中には常に有効になっている。このため、通話中（特に発呼後の通話中）に子機側に設けた通信指示手段が誤って操作された場合、親機がファクシミリ受信モードに切替わってしまうという問題点があった。すなわち、親機がファクシミリ受信モードに切替わってしまうと通話中の回線が切断され、通話が終了してしまうという問題点があった。
【０００７】
従って、本発明は上記の問題点を解消するためになされたものであって、親機または子機が発呼後の通話中に、誤って子機のリモート受信キーが操作された場合に、リモート受信指令を無効化するようにしたファクシミリ機能を有するコードレス電話機を提供することを目的とする
【課題を解決するための手段】
【０００８】
前記課題を解決するために、本願の請求項１にかかる発明は、ファクシミリ機能を有する親機と子機とから構成され、親機にファクシミリの受信を指令するためのリモート受信キーを子機に備えたファクシミリ機能を有するコードレス電話機において、前記親機に、着信を検出する着信検出手段と、前記リモート受信キーによるリモート受信指令を有効化または無効化するリモート受信制御手段と、を設け、前記着信検出手段が着信を検出しない場合、前記リモート受信制御手段がリモート受信指令を無効化し、前記着信検出手段が着信を検出した場合、前記リモート受信制御手段がリモート受信指令を有効化することを特徴とする。
【０００９】
請求項２にかかる発明は、ファクシミリ機能を有する親機と子機とから構成され、親機にファクシミリの受信を指令するためのリモート受信キーを子機に備えたファクシミリ機能を有するコードレス電話機におけるファクシミリ受信制御方法おいて、前記親機は、着信を検出する着信検出手段と、前記リモート受信キーによるリモート受信指令を有効化または無効化するリモート受信制御手段と、を備え、前記着信検出手段が着信を検出するステップと、前記着信検出手段が着信を検出していない場合、前記リモート受信制御手段がリモート受信指令を無効化し、着信検出手段がファクシミリ着信を検出した場合、前記リモート受信制御手段がリモート受信指令を有効化するステップとからなることを特徴とする。
【００１０】
請求項３にかかる発明は、ファクシミリ機能を有する親機と子機とから構成され、親機にファクシミリの受信を指令するためのリモート受信キーを子機に備えたファクシミリ機能を有するコードレス電話機において、前記親機に、着信を検出する着信検出手段と、前記リモート受信キーによるリモート受信指令を有効化（オン）または無効化（オフ）するフラグを記憶する記憶手段と、通話手段と、ファクシミリ通信手段と、回線と前記通話手段又は前記ファクシミリ通信手段とを切替接続する切替手段と、制御手段と、を有し、前記制御手段は、前記着信検出手段が着信を検出したと判定すると、前記記憶手段に記憶しているフラグをオンにし、前記フラグがオフのときは通話中に前記リモート受信キーが操作されても前記切替手段を前記通話手段から前記ファクシミリ通信手段に切替させずに通話を継続させ、前記フラグがオンのときは通話中に前記リモート受信キーが操作されると前記切替手段と前記通話手段から前記ファクシミリ通信手段に切替させてファクシミリ受信を可能にすることを特徴とする。
【発明の効果】
【００１１】
本願発明においては、親機に、着信を検出する着信検出手段と、前記リモート受信キーによるリモート受信指令を有効化または無効化するリモート受信制御手段と、を設け、着信検出手段が着信を検出していない場合、前記リモート受信制御手段がリモート受信指令を無効化し、前記着信検出手段が着信を検出した場合、前記リモート受信制御手段がリモート受信指令を有効化する。従って、親機または子機が発呼後の通話中に、誤って子機のリモート受信キーが操作された場合には、リモート受信制御手段がリモート受信指令を無効化するため、親機がファクシミリ受信モードに切替わってしまうことがなく、発呼後の通話中の回線が切断されるような不具合を生じることがなくなる。
【発明を実施するための最良の形態】
【００１２】
以下、本発明の具体例を実施例及び図面を用いて詳細に説明する。図１は、本発明の実施例にかかるファクシミリ機能を有するコードレス電話機の構成を示すブロック図である。図２は、図１の親機における本発明にかかる動作手順を示すフローチャートである。図３は、図１の子機における本発明にかかる動作手順を示すフローチャートである。
【実施例】
【００１３】
本発明の実施例にかかるファクシミリ機能を有するコードレス電話機は、図１のブロック図に示すように構成されている。すなわち、図１において、１００はファクシミリを内蔵したファクシミリ機能を有する親機であり、２００は親機１００と無線で通信可能な子機である。
【００１４】
親機１００において、Ｌは電話回線、１１０は親機制御手段、１２０は接続切替手段、１３０は着信検出手段、１４０は親機無線通信手段、１５０は親機通話手段、１６０はファクシミリ通信手段、１６１はファクシミリの印字手段、１６２はファクシミリの原稿読取手段、１７０は各種ボタンやキーを有する親機入力手段、１７１は親機入力手段１７０中の通信開始手段としての通信開始ボタン、１８０は親機表示手段である。
【００１５】
親機制御手段１１０は、ファクシミリ切替手段１１１を有しており、ファクシミリ切替手段１１１は、着信フラグ１１２、リモート受信制御手段１１３から構成されている。は開始判定手段である。親機１００において、着信検出手段１３０が通話着信を検出すると、親機制御手段１１０は、ファクシミリ切替手段１１１中の着信フラグ１１２をオンにセットする。
【００１６】
一方、子機２００において、２１０は子機機制御手段、２４０は子機無線通信手段、２５０は子機通話手段、２７０は各種ボタンやキーを有する子機入力手段であり、子機入力手段２７０には、親機にファクシミリの受信を指令するためのリモート受信キー２７１が設けられている。２６０は通信開始手段、２８０は子機表示手段である。子機２００から通話を行う場合には子機入力手段２７０に設けられたテンキー、各種機能キー（図示せず）を操作して子機制御手段２１０、子機通話手段２５０を介して発呼または着呼を行い通話することができる。
【００１７】
親機制御手段１１０はマイクロプロセッサからなり、例えばＲＯＭ（Ｒｅａｄ  Ｏｎｌｙ  Ｍｅｍｏｒｙ）に格納されたシステムプログラムに基づいて、以下に説明する各部の制御を司る。また、親機制御手段１１０はファクシミリ制御信号、メール等のデータ送受信をしたり、サーバにメールが着信したことを示す着信通知信号の受信を行うＤＳＰ（Ｄｉｇｉｔａｌ  Ｓｉｇｎａｌ  Ｐｒｏｃｅｓｓｏｒ）を有するモデムや、接続切替手段１２０との間でのアナログ信号とディジタル信号を相互に変換する変換手段も内臓している。着信検出手段１３０は電話回線Ｌと接続され、電話回線Ｌからの１６Ｈｚの着信信号を検出して親機制御手段１１０に送出するとともにファクシミリ着信を検出する。接続切替手段１２０は親機制御手段１１０の制御の下で、親機通話手段１５０との間では音声信号を、ファクシミリ通信手段１６０との間ではファクシミリデータを、親機制御手段内のメーラとの間ではメール内容等のデータを、各々振り分る切替制御を行う。
【００１８】
親機１００と子機２００の間は無線で接続されおり、親機無線通信手段１４０は電話回線Ｌからの通話や制御信号を親機無線通信手段１４０を経由して子機２００に無線で出力し、これを子機無線通信手段２４０が受信する。また子機２００の子機無線通信手段２４０は通話やファクシミリの受信指示等を子機無線通信手段２４０を経由して親機１００に無線で出力し、これを親機無線通信手段１４０が受信する。親機１００の親機通話手段１５０および子機２００の子機通話手段２５０は、ハンドセットやハンドセットのオンフックやオフフックを検出するフック検出部を有しており、電話機として通話することができる。
【００１９】
親機１００において電話回線Ｌに着信があると、着信検出手段１３０が着信を検出する。続いて着信検出手段１３０は、親機制御手段１１０中のファクシミリ切替手段１１１に着信検出信号を送り、ファクシミリ切替手段１１１は、着信フラグ１１２のフラグを「オン」状態にセットする。この着信フラグ１１２は通話又はファクシミリ通信が完了することによって「オフ」状態にリセットされる。
【００２０】
ファクシミリ切替手段１１１において、着信フラグ１１２のフラグが「オン」状態にセットされている場合、リモート受信制御手段１１３は、子機２００からファクシミリの受信を指令するリモート受信信号（後述する子機２００のリモート受信キーの操作により親機１００に送信される信号）を有効化する。着信フラグ１１２のフラグが「オフ」状態にある場合（着信が検出されていない場合）には、子機２００からのリモート受信信号を受信してもリモート受信制御手段１１３により無効化される。
【００２１】
これによって、発呼後の通話中に、子機２００のリモート受信キーが誤って操作され、親機１００が子機２００からのリモート受信信号を受信しても、リモート受信制御手段１１３がこのリモート受信信号を無効化するため、ファクシミリ受信に切替わることがなく、通話が途中で切断されることがなくなる。
【００２２】
ファクシミリ通信手段１６０は、ファクシミリ切替手段１１１からの信号に基づいて電話回線Ｌを通し相手機とのファクシミリ通信手順を制御し、原稿読み取り手段１６２からの画像データを送信し、又相手機からの画像データを印字手段１６１に出力する。
【００２３】
以上のコードレス電話機の動作手順を図２、図３のフローチャートを参照して説明する。図２は、親機２００の動作手順を示し、図３は、子機１００の動作手順を示すフローチャートである。図２において、親機１００の動作が開始されると、ステップＳ１０の処理において着信があるか否かを判断する。着信でなければ、ステップＳ１３の処理において発呼か否かを判断する。発呼でなければ、ステップＳ１４の処理においてその他の処理をしてステップＳ１０の処理に戻る。ステップＳ１３の処理において、発呼であればステップＳ１５ステップへ処理を進める。
【００２４】
Ｓ１５ステップでは、親機制御手段１１０は、着信フラグをオフし、Ｓ１２ステップへ処理を進める。
【００２５】
ステップＳ１０の処理において着信があったら、ステップＳ１１の処理において親機制御手段１１０は、着信フラグ１１２をオンし、Ｓ１２ステップへ処理を進める。
【００２６】
Ｓ１２ステップでは、親機制御手段１１０は、外線と親機（又は子機）の通話を開始する。具体的には、例えば外線と子機間で通話が開始される場合には、着信検出手段１３０が着信を検出すると、親機制御手段１１０が親機無線通信手段１４０を制御することにより、子機へ着信があることを示す信号を送出し、子機のリンガーが鳴動し、子機のユーザがその着信に応答すれば、子機から親機へ着信に応答することを示す信号を送信し、その信号を親機無線通信手段１４０が受信する。その後、親機制御手段１１０の制御の基で、接続切替手段１２０が、回線Ｌと親機無線通信手段１４０を接続し、接続切替手段１２０と親機無線通信手段１４０を介して、子機と回線Ｌが接続されることになる。
尚、本実施例では、後に説明する子機の動作も関連してくる為、Ｓ１２ステップにおける通信開始は、例えば、親機を介した子機と外線との間の通話とする。
【００２７】
Ｓ１６ステップで親機制御手段１１０は、親機無線通信手段１４０が、子機からファクシミリリモート受信の指示を示す信号を受信したと判定すると、Ｓ１７ステップへ処理を進め、そうでなければＳ１９ステップへ処理を進める。
【００２８】
Ｓ１７ステップにおいて、着信フラグ１１２が「オン」でなければステップＳ１８の処理においてファクシミリ切替手段１１１は子機２００にＥＮＤ信号を送信する。後述するように子機２００は、親機１００からこのＥＮＤ信号を受信すると、リモート受信キーによるファクシミリのリモート受信指示の信号送信を終了する。一方、Ｓ１７ステップにおいて、着信フラグ１１２が「オフ」であれば、Ｓ２２ステップへ処理を進める。
【００２９】
ステップＳ１６の処理において子機２００からのリモート受信指示がなければ、ファクシミリ切替手段１１１はステップＳ１９の処理において親機１００のファクシミリ受信キー（親機入力手段１７０の通信開始ボタン）の操作によるファクシミリの受信指示があるかを判定する。親機１００からのファクシミリ受信の指示信号がなければステップＳ２３の処理に進み、ファクシミリ受信の指示信号があればステップＳ２０の処理において着信フラグ１１２が「オン」であるかを判定する。着信フラグが「オン」であればＳ２２ステップへ処理を進め、Ｓ２２ステップでは、親機制御手段１１０が接続切替手段１２０を制御することにより、接続切替手段１２０が、回線Ｌと親機無線通信手段１４０又は親機通話手段１５０が接続されている状態から、回線Ｌとファクシミリ通信手段が接続されている状態へ切り替える。その後、ファクシミリの受信を開始する。
【００３０】
着信フラグ１１２が「オン」でなければステップＳ２１の処理においてファクシミリ切替手段１１１は親機１００におけるファクシミリ受信キー（親機入力手段１７０の通信開始ボタン）の操作によるファクシミリの受信指示を受け付けずステップＳ２３の処理に進む。
【００３１】
ステップＳ２３の処理においては、通信の終了であるか否かが判定され、通信が終了していなければステップＳ１６の処理に戻り、通信が終了していればステップＳ２４の処理で回線を切断して処理を終了する。
【００３２】
次に子機の動作を説明する。図３のフローチャートは、親機と子機とが無線で接続され、子機が外線通話状態である場合の動作を示している。
【００３３】
図３のフローチャートにおいて、Ｓ３０ステップでは、子機と外線との通話が開始される。続くＳ３１ステップでは、子機制御手段２１０は、リモート受信キー２７１が操作されたか否かを判定する。リモート受信キー２７１が操作されていなければ、ステップＳ３３の処理において通話の終了か否かが判定され、通信が終了していなければステップＳ３０の処理に戻り、通信が終了していればステップＳ３７の処理に進む。
【００３４】
ステップＳ３１の判定処理においてリモート受信キー２７１が操作されていたらば、ステップＳ３２の処理において子機２００は親機１００にファクシミリの受信指示信号を送信する。そしてステップＳ３４の処理において親機１００からＥＮＤ信号を受信したか否かが判定される。この判定処理においてＥＮＤ信号を受信したと判定された場合には、ステップＳ３６の処理においてファクシミリの受信指示信号の送信を終了してステップＳ３７の処理に進む。
【００３５】
ステップＳ３４の処理において親機１００からＥＮＤ信号を受信していないと判定された場合にはステップＳ３５の処理において通信の終了か否かが判定され、通信が終了していなければステップＳ３２の処理に戻り、通信が終了していればステップＳ３７の処理に進む。ステップＳ３７の処理においては、通信終了であるから、回線を切断して子機２００の処理が終了する。
【００３６】
尚、本実施例では、通話の着信の場合について説明したが、Ｓ１０ステップにおける着信はファクシミリ制御信号の着信であっても良い。
【００３７】
又、以上説明した実施例においては、子機２００にリモート受信キー２７１を備えた例を説明したが、親機１００にファクシミリ送信する原稿をセットし、子機２００からファクシミリ送信するためのファクシミリ送信信号を親機１００に送信して送信操作ができるように子機にファクシミリ送信キーを設けることも可能である。
【００３８】
以上、詳細に説明したように、本発明にかかるファクシミリ機能を有するコードレス電話機によれば、着信検出手段が着信を検出していない場合、前記リモート受信制御手段がリモート受信指令を無効化し、前記着信検出手段が着信を検出した場合、前記リモート受信制御手段がリモート受信指令を有効化する。これによって、親機または子機が発呼後の通話中に、誤って子機のリモート受信キーが操作された場合には、リモート受信制御手段がリモート受信指令を無効化するため、親機がファクシミリ受信モードに切替わってしまうことがなく、発呼後の通話中の回線が切断されるような不具合を生じることがなくなる。
【図面の簡単な説明】
【００３９】
【図１】本発明の実施例にかかるファクシミリ機能を有するコードレス電話機の構成を示すブロック図である。
【図２】図１の親機における本発明にかかる動作手順を示すフローチャートである。
【図３】図１の子機における本発明にかかる動作手順を示すフローチャートである。
【符号の説明】
【００４０】
１００    ・・・親機
１１０    ・・・親機制御手段
１１１    ・・・ファクシミリ切替手段
１１２    ・・・着信フラグ
１１３    ・・・リモート受信制御手段
１２０    ・・・接続切替手段
１３０    ・・・着信検出手段
１４０    ・・・親機無線通信手段
１５０    ・・・親機通話手段
１６０    ・・・ファクシミリ通信手段
１７０    ・・・親機入力手段
１７１    ・・・スタートボタン
２００    ・・・子電話機
２４０    ・・・子機無線通信手段
２５０    ・・・子機通話手段
２６０    ・・・通信開始手段
２７０    ・・・子機入力手段
２７１    ・・・リモート受信キー
２８０    ・・・子機表示手段
【図１】
2006148229.tif 000003
【図２】
2006148229.tif 000004
【図３】
2006148229.tif 000005